(57)【特許請求の範囲】
【請求項１】
光透過性を有する第１のガラス板材と、前記ガラス板材の裏面側のほぼ中央に不透明な表面鏡膜として形成された鏡面部と、前記ガラス板材のうちの前記鏡面部の周囲に形成されているハーフミラー部と、該ハーフミラー部裏面側の下部に形成された、投射された映像を表示するためのスクリーン部と、を備え、前記第１のガラス板材と同一の形状寸法を有し、光透過性を有する第２のガラス板材を、前記第１のガラス板材の裏面側に中間膜を介して設けた合わせガラス構造とし、前記スクリーン部に対応する領域に設ける前記中間膜を乳白中間膜とし、それ以外の領域に設ける前記中間膜を透明中間膜としてなる鏡装置が前面に設けられている筐体と、
前記鏡装置のスクリーン部に映像を投射すべく、該筐体内に設けられているプロジェクタと、
前記筐体内にあって、前記鏡装置の前記鏡面部と前記スクリーン部以外のいずれかの部分を介して前記筐体外部を撮像できるように設けられているカメラと、
該カメラによって撮像された画像が入力されてこれを処理するためのコンピュータと、
前記コンピュータに接続されているＲＦＩＤリーダ装置と、を備え、
美容室又は理容室の利用者利用履歴を管理するために適用されている、美容室又は理容室の利用者利用履歴管理表示システムであって、
前記コンピュータはネットワークを介してシステムサーバに接続可能とされており、該システムサーバではこれに実装されている利用者データベースに当該システム利用者の利用履歴情報が蓄積されており、利用者が自己の保有している固有のＲＦＩＤタグを前記ＲＦＩＤリーダ装置に読み取らせると前記コンピュータを通じてシステムサーバから該当利用者の利用履歴情報が読み出されて該コンピュータに転送され、それがプロジェクタにより前記鏡装置のスクリーン部に表示され、
前記利用者データベースには利用者毎に過去に利用したときの髪型の画像が記録格納されており、
利用者が自己の保有するＲＦＩＤタグを前記ＲＦＩＤリーダ装置に読み取らせると、その利用者が過去に利用した際に記録された髪型の画像がシステムサーバの利用者データベースから前記コンピュータによって取得されてプロジェクタにより鏡装置のスクリーン部に表示され、
美容や理髪の間、前記ＲＦＩＤリーダ装置の読み取り可能範囲に置いてあった利用者のＲＦＩＤタグを、美容又は理髪終了後に読み取り可能範囲外に移動させたことを前記ＲＦＩＤリーダ装置が検知した場合、前記コンピュータを介して前記カメラに撮像指令を与え、該カメラによって撮像された美容又は理髪後の利用者の画像を前記コンピュータによって取得し、前記システムサーバの利用者データベースに該当利用者の最新髪型記録として格納し、前記コンピュータの画面上に、撮影された髪型画像と、当該利用者に対して施した美髪又は理髪の内容に関する付随データを入力するためのインターフェイス画面が表示され、
前記利用者が初めての利用者であって、前記システムサーバの利用者データベースに該当利用履歴が存在しない場合に、当該美容室又は理容室のおすすめ髪型を含む画像が前記コンピュータ及びプロジェクタを介して前記スクリーン部に表示されることを特徴とする、美容室又は理容室の利用者利用履歴管理表示システム。
【発明の詳細な説明】
【技術分野】
【０００１】
この発明は鏡面部とハーフミラー部を合わせ持った鏡装置と、それを用いた情報表示装置及び利用者利用履歴管理表示装置とシステムに係わり、特にＲＦＩＤタグに記録された情報（以下適宜「タグＩＤ」という。）に基づいて利用者に便宜な情報を提供することができる鏡装置と、それを用いた情報表示装置及び利用者利用履歴管理表示装置とシステムに関する。
【背景技術】
【０００２】
美容室や理髪店では、着席した個々の利用者の正面に大型の鏡が据え付けられていて、好みの髪型を美容師、理容師に伝えた後、美容師や理容師が美髪、理髪を行う間、自分の正面の鏡で伝えたとおりの髪型イメージに合っているかどうか眺めて確かめることができるようになっている。またパーマ等の時間がかかる施術を受けている間は、雑誌等を眺めて時間が過ぎるのを待つのが普通である。
【発明の開示】
【発明が解決しようとする課題】
【０００３】
このような従来の美容室や理髪店のスタイルでは、まず自分がイメージしている髪型を的確に美容師や理容師に伝えることが難しいという問題がある。そして、美髪や理髪の間には、利用者はただ鏡を眺めているか眠るかして時間が経つのを待っていることが多い。このようなときに、利用者正面の鏡の付近にエンターテインメント映像等のテレビ・ビデオ映像を提供することができれば、利用者が退屈な時間を過ごさなくてもすむようになる。
【０００４】
また、美容師や理容師に好みの髪型を伝えるときに、さまざまな流行ヘアスタイルの画像を見ながらイメージを伝えたり、あるいは過去に利用者が美髪、理髪を受けたときの自分の髪型仕上がり画像が記録されていてそれを見ながら今回所望する髪型のイメージを伝えたりすれば、単に言葉で伝えるよりもより的確に伝えることができる。
【課題を解決するための手段】
【０００５】
本発明は上記の、及び他の課題を解決するためになされたもので、本発明の一態様は、光透過性を有する第１のガラス板材と、前記ガラス板材の裏面側のほぼ中央に不透明な表面鏡膜として形成された鏡面部と、前記ガラス板材のうちの前記鏡面部の周囲に形成されているハーフミラー部と、該ハーフミラー部裏面側の下部に形成された、投射された映像を表示するためのスクリーン部と、を備え、前記第１のガラス板材と同一の形状寸法を有し、光透過性を有する第２のガラス板材を、前記第１のガラス板材の裏面側に中間膜を介して設けた合わせガラス構造とし、前記スクリーン部に対応する領域に設ける前記中間膜を乳白中間膜とし、それ以外の領域に設ける前記中間膜を透明中間膜としてなる鏡装置が前面に設けられている筐体と、前記鏡装置のスクリーン部に映像を投射すべく、該筐体内に設けられているプロジェクタと、前記筐体内にあって、前記鏡装置の前記鏡面部と前記スクリーン部以外のいずれかの部分を介して前記筐体外部を撮像できるように設けられているカメラと、該カメラによって撮像された画像が入力されてこれを処理するためのコンピュータと、前記コンピュータに接続されているＲＦＩＤリーダ装置と、を備え、美容室又は理容室の利用者利用履歴を管理するために適用されている、美容室又は理容室の利用者利用履歴管理表示システムであって、前記コンピュータはネットワークを介してシステムサーバに接続可能とされており、該システムサーバではこれに実装されている利用者データベースに当該システム利用者の利用履歴情報が蓄積されており、利用者が自己の保有している固有のＲＦＩＤタグを前記ＲＦＩＤリーダ装置に読み取らせると前記コンピュータを通じてシステムサーバから該当利用者の利用履歴情報が読み出されて該コンピュータに転送され、それがプロジェクタにより前記鏡装置のスクリーン部に表示され、前記利用者データベースには利用者毎に過去に利用したときの髪型の画像が記録格納されており、利用者が自己の保有するＲＦＩＤタグを前記ＲＦＩＤリーダ装置に読み取らせると、その利用者が過去に利用した際に記録された髪型の画像がシステムサーバの利用者データベースから前記コンピュータによって取得されてプロジェクタにより鏡装置のスクリーン部に表示され、美容や理髪の間、前記ＲＦＩＤリーダ装置の読み取り可能範囲に置いてあった利用者のＲＦＩＤタグを、美容又は理髪終了後に読み取り可能範囲外に移動させたことを前記ＲＦＩＤリーダ装置が検知した場合、前記コンピュータを介して前記カメラに撮像指令を与え、該カメラによって撮像された美容又は理髪後の利用者の画像を前記コンピュータによって取得し、前記システムサーバの利用者データベースに該当利用者の最新髪型記録として格納し、前記コンピュータの画面上に、撮影された髪型画像と、当該利用者に対して施した美髪又は理髪の内容に関する付随データを入力するためのインターフェイス画面が表示され、前記利用者が初めての利用者であって、前記システムサーバの利用者データベースに該当利用履歴が存在しない場合に、当該美容室又は理容室のおすすめ髪型を含む画像が前記コンピュータ及びプロジェクタを介して前記スクリーン部に表示されることを特徴とする、美容室又は理容室の利用者利用履歴管理表示システムである。
【発明の効果】
【００１５】
前記本発明の一態様による鏡装置及び鏡付き情報表示装置によれば、通常の鏡面部に加えてハーフミラー部が設けられているので、鏡装置の表面の全体を、全身を映すことができる姿見として用いることができるとともに広い鏡面による斬新な意匠が得られる。そして、前記ハーフミラー部などを通して鏡装置の外観を損なうことなくその裏側から利用者の画像を撮影することができる。ハーフミラー部裏面側の一部にスクリーン部を設ければ、利用者に向けて様々な画像を適宜の大きさで表示することができるとともに、スクリーン部を除く部分をハーフミラー部による姿見として利用することができる。ＲＦＩＤリーダ装置をさらに設けることにより、利用者が所持しているＲＦＩＤタグ付きの会員カードなどによってカメラによる撮影やシステムに所定の動作をさせることができる。
【００１６】
それまでに撮影した利用者の髪型記録を利用者データベースに格納しておき、前記ＲＦＩＤタグ付き会員カードによって対応する髪型記録をデータベースから読み出してスクリーン部に表示させれば、利用者はその画像を見ながら美容師や理容師に自分の希望する髪型イメージを的確に伝えることができる。
【発明を実施するための最良の形態】
【００１７】
以下、本発明をその実施形態に即して添付図面を参照しつつ説明する。
【００１８】
《鏡装置》
本発明の一実施形態に係る鏡装置の構成を、図１Ａ〜図３Ｂに示す。図１Ａは一実施例の鏡装置１００の正面図、図１Ｂはその側断面図、図２Ａは他の実施例による鏡装置１００’の正面図、図２Ｂはその側断面図、図３Ａはさらに他の実施例による鏡装置１００”の正面図、図３Ｂはその側断面図である。
【００１９】
鏡装置１００は基材となるガラス板材１１０の面上に所望の機能を実現する膜面を設けてなり、ハーフミラー部１２０、鏡面部１３０、スクリーン部１４０を備える。図１Ａでは、ハーフミラー部１２０は、ガラス板材１１０の裏面側（以下本明細書中では、人物等の被反射体に臨む面を「表面側」、その反対側を「裏面側」という。）にハーフミラー膜１０２ａを成膜して形成されている。ハーフミラー膜１０２ａは通常のコーティングや蒸着によって形成されるが、適当な反射率を有する半透過膜を適宜用いることができる。鏡面部１３０を構成する表面鏡膜１３０ａは、ガラス板材１１０の裏面側に銀引きし、あるいはスパッター等で不透明な反射膜を形成した表面鏡である。本実施例では鏡装置１００のほぼ中央付近の矩形領域に表面鏡膜１３０ａを形成して鏡面部１３０としている。なお、鏡装置１００においてこの鏡面部１３０を設ける部位、寸法、平面形状は、利用者の映り具合や鏡装置としての外観意匠等の観点から適宜決定することができる。
【００２０】
本実施例の鏡装置１００には、上記のようにオプションとしてスクリーン部１４０が設けられている。これは、図１Ｂに示すように、鏡装置１００の下部１／３ほどの部分を映像投影面とするものである。図１Ｂに示すように、スクリーン部１４０は、ガラス板材１１０の裏面側に設けた透明中間膜１４０ａ及び乳白中間膜１４０ｂ（本実施例の場合、一枚の中間膜について、上部２／３程度を透明に、下部１／３程度を乳白膜としてなるものを用いている。）をそれと同サイズの別の透明なガラス板材１１２で挟む合わせガラス構造としているが、この別のガラス板材１１２を使用せずに、ガラス板材１１０の裏面側の映像投影面とすべき領域に直接乳白フィルムを貼設するといった簡易な構成をとることもできる。なお、投影される映像光が裏面側（すなわち表示装置２００の内部）で反射することがないように、ガラス板材１１２の裏面側にエッチングなどにより反射防止部１４２をさらに設けてもよい。
【００２１】
次に、鏡装置１００のハーフミラー部１２０及び鏡面部１３０の形成プロセスを説明する。まずガラス板材１１０の裏面側の鏡面部１３０を除く部分をマスクして、銀引きまたはスパッターで表面鏡膜１３０ａを形成する。その後、前記マスクを剥離して、ハーフミラー膜１２０ａをスパッター等によって形成する。
【００２２】
本実施例の鏡装置１００によれば、表面鏡として形成された鏡面部１３０によって利用者の髪型や容姿などを明瞭に映すことができるとともに、ハーフミラー部１２０の部分と合わせて全身を映すことができ、またハーフミラー部１２０により鏡装置１００の外観を損なうことなくカメラなどの機材を鏡装置１００の裏面側に設置することができる。
【００２３】
次に、他の実施例に係る鏡装置１００’について、図２Ａ、図２Ｂを参照して説明する。この鏡装置１００’は、前記第１実施例と同様に、ハーフミラー部１２０、鏡面部１３０、スクリーン部１４０を備えている。ハーフミラー部１２０の構成としては、まず鏡面部１３０に相当する部分をマスクして、残りの部分にスパッター等でハーフミラー膜１２０ａを形成してハーフミラー部１２０とする。鏡面部１３０は、前記マスクを剥離してから、別部材の表面鏡１３０ｂを適宜の方法でガラス板材１１０の裏面側に固設することにより構成している。またスクリーン部１４０は、乳白膜１４０ｂを挟み込んでスクリーン用の合わせガラス材１４０ｃをガラス板材１１０の下部に、部分合わせガラスとして構成している。なお、このスクリーン部１４０の設置を省略することができるのは、第１実施例と同様である。
【００２４】
次に、さらに他の実施例に係る鏡装置１００”について、図３Ａ、図３Ｂを参照して説明する。この鏡装置１００”は、ハーフミラー部１２０及び鏡面部１３０の構成については上述した第１実施例と同様であるが、スクリーン部１４０としては、あらかじめ乳白中間膜１４０ｂを２枚の合わせガラス部材１４０ｃにより挟み込んで形成した合わせガラスを前記ガラス板材１１０の裏面側に固設する構造を採用している。なお、スクリーン部１４０は、上記以外にも種々の構成によって実現することができ、要するに、鏡装置の裏面側からプロジェクタ等の手段によって映像を投射したときにスクリーンの機能を果たす適宜の構成を採用することができる。
【００２５】
《鏡付き情報表示装置》
次に、上記実施例に基づいて構成を例示した鏡装置を利用した鏡付き情報表示装置２００について、図４Ａ、図４Ｂに図示する一実施例に基づいて説明する。図４Ａは本実施例による鏡付き情報表示装置（以下簡単のために適宜「表示装置」と略記する。）２００の側断面図、図４Ｂはその正面図である。
【００２６】
本実施例は、本発明の鏡装置を備えた表示装置２００を美容室の姿見として設置した構成例である。表示装置２００は概して、後述する装置の機構部分を収納するための枠体２５０と、その枠体２５０の正面に適宜の手段で固設された鏡装置１００、枠体２５０及び鏡装置１００と建物の天井面及び床面との間を隠す上部幕板２６０ａ及び下部幕板２６０ｂとを備えてなる。なお、各幕板２６０ａ、２６０ｂを用いることなく、床面から天井面までの一体のガラス板材を用いて構成することもできる。枠体２５０は、木製あるいは金属製のフレームとして、設置する環境に合わせて適切な材料、形状、寸法を採用して構成することができる。上部幕板２６０ａと下部幕板２６０ｂは、表示装置２００の外観意匠を整えるための化粧部材であり、設置される環境、インテリアのコンセプトなどに応じて種々の化粧板などを用いることができる。鏡装置１００は上記実施例に関して説明したように、ハーフミラー部１２０、鏡面部１３０、及びスクリーン部１４０を備えている。鏡装置１００の鏡面部１３０の両側部には、利用者の頭部を照明するための照明器具２８０が設置されている。なお、鏡装置としては、上記実施例により説明した鏡装置１００、１００’、１００”のほか、本発明を逸脱しない範囲で種々の変形例による鏡装置を採用することができる。
【００２７】
また、表示装置２００には、静止画あるいは動画を撮影することができるカメラ２１０、鏡装置１００のスクリーン部１４０に映像を投射するためのプロジェクタ２２０、カメラ２１０及びプロジェクタ２２０を制御するためのコンピュータ２３０、及びそのコンピュータ２３０に接続されて動作指令を与えるためのＲＦＩＤリーダ装置２４０が設けられている。
【００２８】
カメラ２１０は、鏡装置１００の正面に座った利用者の頭部を撮影することができるように、ハーフミラー部１２０の裏面側に利用者からは見えないように取り付けられる。一般的にいわゆるウェブカメラとして用いられるＣＣＤカメラや、その他のデジタルカメラなど、コンピュータ２３０との間で通信可能な構成を有するカメラを適宜採用することができる。
【００２９】
プロジェクタ２２０はやはりコンピュータ２３０に接続されており、コンピュータ２３０の記憶装置に格納されている画像ファイルを再生したり、ＤＶＤドライブなどにセットされているメディアの画像を再生したりして、これを枠体２５０の後方に設けた反射鏡２７０を介して鏡装置１００のスクリーン部１４０に投射することができ、これによりスクリーン部１４０上に投影画像ＩＭＧを得ることができる。なお、カメラ２１０は、鏡面部１３０の上下左右いずれの側に取り付けることも自由である。また、プロジェクタ２２０に対しては、コンピュータ２３０のほかに、適宜の画像供給手段（ＤＶＤプレイヤー等）を接続してもよい。
【００３０】
コンピュータ２３０は、上記のようにカメラ２１０とプロジェクタ２２０の動作を制御するとともに、後述するように、ネットワークを介して利用者利用履歴管理表示システムを構成するシステムサーバと接続されており、このシステムサーバと利用者に関する利用履歴データなどの情報を、ネットワークを通じて授受することができるようになっている。このコンピュータ２３０のシステム構成には特に制約がなく、実装された利用者利用履歴管理表示システムクライアントソフトウェアの実行に必要な演算速度と記憶容量を備えていればよい。また設置場所などの条件によりデスクトップ、ラップトップなど種々の形式のものを採用することができる。
【００３１】
ＲＦＩＤリーダ装置２４０は、ＲＦＩＤタグに記録されている情報を読み取るためのもので、読み取られた情報データは接続されているコンピュータ２３０に入力される。本実施例では利用者利用履歴管理表示システムが導入されている美容室の会員カードに、それぞれの会員ＩＤデータを記録したＲＦＩＤタグを収装しており、これをＲＦＩＤリーダ装置２４０により読み取ってコンピュータ２３０のシステムクライアントソフトウェアに受け渡すことができる構成となっている。ＲＦＩＤリーダ装置２４０としては、例えば汎用のアンテナ内蔵タイプのものを適宜選択すればよい。また、リーダ装置２４０の設置場所としては会員カードを容易に近づけることができるような場所が好ましく、例えば表示装置２００に近接させてサイドテーブルのような置き台を設けてその内部に収納するようにすると、外観上も好ましい。
【００３２】
《利用者利用履歴管理表示システム》
次に、図５を参照して本発明の一実施例に係る利用者利用履歴管理表示システムの構成と作用について説明する。図５は、一実施例に係る利用者利用履歴管理表示システムの概略構成図である。この場合、美容室チェーンの複数の店舗にわたって本システムが導入されている構成を示している。一店舗内の各ブースに設置されているコンピュータ２３０は、ネットワークＮによって相互に接続されており、そのネットワークＮはさらに通常の接続機器（図示省略）を介してインターネットＩＮに接続されている。そして、インターネットＩＮを介して、本システムのシステムサーバＳにさらに接続されている。また同様の構成を有する他店舗のネットワーク３００もインターネットＩＮを介してシステムサーバＳにアクセスすることができる。さらに、後述するが、利用者の家庭などに設置したシステムクライアントソフトウェアが実装されたコンピュータ４００からシステムサーバＳにアクセスすることもできるように構成されている。
【００３３】
システムサーバＳには利用者履歴データベースが実装され、前記コンピュータ２３０からのネットワークを介した問い合わせに対して、サーチ結果を取得して問い合わせ元のコンピュータ２３０にそれを返すように構成されている。このデータベースには各利用者ごとに作成されたレコードが格納されている。各レコードには、各利用者の会員ＩＤにひも付けられて、過去に利用したときに撮影された髪型画像データが記録されるようになっている。また、髪型画像だけでなく、ヘアカラー番号、パーマの種類、髪の状態といった付随データを同じく会員ＩＤにひも付けて記録しておくようにしてもよい。
【００３４】
表示装置２００に関して説明したように、各コンピュータ２３０にはそれぞれカメラ２１０、プロジェクタ２２０、及びＲＦＩＤリーダ装置２４０が接続されている。（簡略化のため、一部図示を省略している。）ここで、クライアントソフトウェアの動作について、図６のフローチャートを参照して説明する。まず利用者の会員ＩＤが記録されているＲＦＩＤタグが収められている会員カードをＲＦＩＤリーダ装置２４０が格納されているサイドテーブルなどの上に載せると、その会員ＩＤデータがＲＦＩＤリーダ装置２４０によって取得され、コンピュータ２３０へ転送される。（Ｓ５０１、Ｙｅｓ）取得した会員ＩＤデータは、ネットワークＮ、インターネットＩＮを通じてシステムサーバＳに送信され（Ｓ５０２）、システムサーバＳにおいて、その会員ＩＤデータに一致するレコードが利用者履歴データベースに存在するかが調べられ、レコードが存在すれば（Ｓ５０３、Ｙｅｓ）そのレコードに記録されている過去に利用した際に撮影された画像がコンピュータ２３０にダウンロードされてプロジェクタ２２０によって表示装置２００のスクリーン部１４０に表示される（Ｓ５０４）。利用者は、その画像を見ながら今回どのような髪型にしたいかを美容師に的確に伝えることができる。なお、スクリーン部１４０には、髪型画像のほかに、前記したパーマの種類等の付随データも表示するようにしてもよい。また、このときに、コンピュータ２３０の画面上にはクライアントソフトウェアのインターフェイス画面が表示されるようにしておく。このインターフェイス画面には、表示装置２００のスクリーン部１４０に表示されているのと同じデータがインターフェイス画面内の各フィールドに表示されるとともに、システムサーバＳの利用者履歴データベースを検索するための検索用フィールドを用意しておくとよい。これにより、例えば利用者が希望するヘアカラーやパーマの種類などをキーとしてデータベース内を検索し、利用者自身のデータだけでなく参考として他の会員のデータも参照することができるように構成することができる。このような構成にあっては、他の利用者に自身のデータが公開されるのを望まない会員もあると考えられるので、新規入会時にその旨利用者に承諾を得るようにし、また利用者履歴データベースの各レコードにはそのレコードが属する会員ＩＤ以外の会員ＩＤを用いたクエリーに対しては読み出しされないようにするプロテクトがかけられるようにしておくとよい。会員ＩＤデータに一致するレコードがデータベースに存在しなければ（Ｓ５０３、Ｎｏ）、その会員ＩＤデータに対応する新たなレコードをデータベースに作成し、コンピュータ２３０にはあらかじめシステムサーバＳに格納しておいた「おすすめヘアスタイル」などの画像がダウンロードされてやはり表示装置２００のスクリーン部１４０に表示される（Ｓ５０５）。この後、美髪の作業中はコンピュータ２３０のクライアントソフトウェアとしては次のアクションを待つアイドリング状態となる。この間は、コンピュータ２３０や直接プロジェクタ２２０に接続された他のＡＶ機器（ＤＶＤプレイヤーなど）からの映像を表示装置２００のスクリーン部１４０に投影させることができる。
【００３５】
美髪が完了してサイドテーブルなどのＲＦＩＤリーダ装置２４０に近接させていた会員カードをその読み取り範囲外に移動させると、コンピュータ２３０のクライアントソフトウェアは美髪が終わったと解釈し（Ｓ５０６、Ｙｅｓ）、カメラ２１０に利用者撮影の指令信号を送出して利用者の仕上がった髪型を撮影し（Ｓ５０７）、生成された画像ファイルをシステムサーバＳのデータベースに格納されている当該利用者レコードと関連づけてアップロードする（Ｓ５０８）。なお、カメラ２１０で利用者を撮影する際には、利用者の注意を引くために、プロジェクタ２２０から撮影までのカウントダウン画像などを適宜表示するようにクライアントソフトウェアを構成しておくことができる。また、このときに、コンピュータ２３０の画面上には前記したクライアントソフトウェアのインターフェイス画面が表示されるようにしておく。このインターフェイス画面には、今回撮影された髪型画像とともに、ヘアカラー番号やパーマの種類などの付随データを入力するためのフィールドが用意されている。美容師や理容師は、このインターフェイス画面を通じて当該利用者のレコードに前記付随データを記録しておくことができる。
【００３６】
上記のように、本実施例の利用者利用履歴管理表示システムでは、基本的な構成として各美容室に設置されている表示装置２００をシステムサーバＳとネットワークを介して接続することによって構成されているが、例えばシステムサーバＳにクライアントソフトウェアのダウンロードサイトを設けてそこに利用者が自宅のコンピュータなどからアクセスしてクライアントソフトウェアをダウンロードし、自分のコンピュータにインストールすることができるようにすれば、利用者は自宅にいながらにして自分の過去の髪型画像を閲覧することができ便利である。この場合、クライアントソフトウェアのダウンロード権限は美容室の利用者に限定されるような認証プロセスを付加することや、ダウンロード用クライアントソフトウェアには、美容室で使用されているものに対して機能制限を設けることができる。
【図面の簡単な説明】
【００３７】
【図１Ａ】本発明の一実施形態に係る鏡装置の正面図である。
【図１Ｂ】図１Ａの鏡装置の側断面図である。
【図２Ａ】本発明の他の実施形態に係る鏡装置の正面図である。
【図２Ｂ】図２Ａの鏡装置の側断面図である。
【図３Ａ】本発明のさらに他の実施形態に係る鏡装置の正面図である。
【図３Ｂ】図３Ａの鏡装置の側断面図である。
【図４Ａ】本発明の一実施形態に係る鏡付き情報表示装置を模式的に示す側断面図である。
【図４Ｂ】図４Ａの鏡付き情報表示装置の正面図である。
【図５】本発明の一実施形態に係る利用者利用履歴管理表示システムの概略構成図である。
【図６】図５の利用者利用履歴管理表示システムの概略動作を示すフローチャートである。
【符号の説明】
【００３８】
１００、１００’、１００”  鏡装置
１１０、１１２  ガラス板材
１２０  ハーフミラー部
１２０ａ  ハーフミラー膜
１３０  鏡面部
１３０ａ  表面鏡膜
１４０  スクリーン部
１４０ａ  透明中間膜
１４０ｂ  乳白中間膜
１４０ｃ  合わせガラス材
２００  鏡付き情報表示装置
２１０  カメラ
２２０  プロジェクタ
２３０  コンピュータ
２４０  ＲＦＩＤリーダ装置
Ｓ  システムサーバ
Ｎ  ネットワーク
【図１Ａ】
0005216281.tif 000002
【図１Ｂ】
0005216281.tif 000003
【図２Ａ】
0005216281.tif 000004
【図２Ｂ】
0005216281.tif 000005
【図３Ａ】
0005216281.tif 000006
【図３Ｂ】
0005216281.tif 000007
【図４Ａ】
0005216281.tif 000008
【図４Ｂ】
0005216281.tif 000009
【図５】
0005216281.tif 000010
【図６】
0005216281.tif 000011